(57)【要約】 【課題】  回転体を回転させるだけで、当該回転体に刻まれた全ての内容を見ることができると同時に心地よい音色を生じさせ得る回転式仏具構造体を提供すること。【解決手段】  基台１上に配置された一対の軸受け２，２相互間に軸３を掛け渡すと共に前記軸３に対して回転体４を回転自在に外挿してあり、前記回転体４の外周面には宗教上の教えを知らしめる文字Ｄを印刷又は刻設すると共に前記回転体４に少なくとも一つの室４Ａを設けてあり、更に前記室４Ａには鳴物（鈴Ｓ）又は硬質体を収容させてある。宗教上の教えＤは、聖典又は経文である。室４Ａは、孔の開放部分を着脱可能な蓋体７で閉蓋して構成してあり、前記蓋体７には鈴Ｓが飛び出さない程度の開口７２を設けてある。【選択図面】  図６
2006045791.tif 000002
【特許請求の範囲】
【請求項１】
基台上に配置された一対の軸受け相互間に軸を掛け渡すと共に前記軸に対して回転体を回転自在に外挿してあり、前記回転体の外周面には宗教上の教えを知らしめる文字を形成すると共に前記回転体に少なくとも一つの室を設けてあり、更に前記室には鳴物又は硬質体を収容させてあることを特徴とする回転式仏具構造体。
【請求項２】
基台上に配置された一対の軸受け相互間に軸を回転自在に掛け渡すと共に前記軸に対して回転体を外挿一体化してあり、前記回転体の外周面には宗教上の教えを知らしめる文字を形成すると共に前記回転体に少なくとも一つの室を設けてあり、更に前記室には鳴物又は硬質体を収容させてあることを特徴とする回転式仏具構造体。
【請求項３】
宗教上の教えは、聖典又は経文であることを特徴とする請求項１又は２記載の回転式仏具構造体。
【請求項４】
室は、孔の開放部分を着脱可能な蓋体で閉蓋して構成してあり、前記蓋体には鳴物又は硬質体が飛び出さない程度の開口を設けてあることを特徴とする請求項１乃至３のいずれかに記載の回転式仏具構造体。
【請求項５】
基台は、座台上に設けた柱の上端に設けてあることを特徴とする請求項１乃至４のいずれかに記載の回転式仏具構造体。
【発明の詳細な説明】
【技術分野】
【０００１】
この発明は、石材や木材製の摩尼車等の回転式仏具構造体に関するものである。
【背景技術】
【０００２】
この種の回転式仏具構造体としては、基台の上部に円柱からなる軸柱を立設し、この軸柱に回転体を回転自在に外挿し、他方、上記基台の上部に支持柱を立設し、上記軸柱と支持柱とで上部に設けられる笠等を支持して成るものがある（例えば、特許文献１。）。
【０００３】
前記回転体には、経文等を刻んであり、お参りした際に回転体を手で回転させることにより、正面から移動することなく経文を読むことができる。
【０００４】
しかしながら、通常、経文を読む際には、鐘や鈴等の音を鳴らしたりする宗派も少なくなく、このような場合、この回転式仏具構造体とは別に、その脇に鈴や鐘等の音を出す物を設置するということが考えられる。
【０００５】
しかしながら、経文を刻んだ回転体を回す行為と、鈴や鐘を鳴らすという行為とを同時に行うことは、不慣れな者にとっては困難であり、また、信仰心の厚くない者にとっては面倒であるという問題がある。
【特許文献１】特開２０００−２４８７７９号
【発明の開示】
【発明が解決しようとする課題】
【０００６】
そこでこの発明では、回転体を回転させるだけで、当該回転体に形成された全ての内容を正面から移動することなく見ることができると同時に心地よい音色を生じさせ得る回転式仏具構造体を提供することを課題とする。
【課題を解決するための手段】
【０００７】
（請求項１記載の発明）
この発明の回転式仏具構造体は、基台上に配置された一対の軸受け相互間に軸を掛け渡すと共に前記軸に対して回転体を回転自在に外挿してあり、前記回転体の外周面には宗教上の教えを知らしめる文字を形成すると共に前記回転体に少なくとも一つの室を設けてあり、更に前記室には鳴物又は硬質体を収容させてある。
【０００８】
（請求項２記載の発明）
この発明の回転式仏具構造体は、基台上に配置された一対の軸受け相互間に軸を回転自在に掛け渡すと共に前記軸に対して回転体を外挿一体化してあり、前記回転体の外周面には宗教上の教えを知らしめる文字を形成すると共に前記回転体に少なくとも一つの室を設けてあり、更に前記室には鳴物又は硬質体を収容させてある。
【０００９】
（請求項３記載の発明）
この発明の回転式仏具構造体は、上記請求項１又は２記載の発明に関し、宗教上の教えは、聖典又は経文である。
【００１０】
（請求項４記載の発明）
この発明の回転式仏具構造体は、上記請求項１乃至３のいずれかに記載の発明に関し、室は、孔の開放部分を着脱可能な蓋体で閉蓋して構成してあり、前記蓋体には鳴物又は硬質体が飛び出さない程度の開口を設けてある。
【００１１】
（請求項５記載の発明）
この発明の回転式仏具構造体は、上記請求項１乃至４のいずれかに記載の発明に関し、基台は、座台上に設けた柱の上端に設けてある。
【発明の効果】
【００１２】
この発明の回転式仏具構造体によると、回転体を回転させるだけで、当該回転体に形成された全ての内容を正面から移動することなく見ることができると同時に心地よい音色を生じさせ得る。
【発明を実施するための最良の形態】
【００１３】
以下にこの発明の回転式仏具構造体を実施するための最良の形態としての実施例について詳細に説明する。
【実施例１】
【００１４】
図１はこの発明の実施例の回転式仏具構造体の正面図、図２は前記回転式仏具構造体の側面図、図３は前記回転式仏具構造体の平面図、図４は図１のＡ−Ａ断面図、図５は図３のＢ−Ｂ断面図、図６は前記回転式仏具構造体の主要部の断面図、図７は図６のＣ−Ｃ断面図、図８は前記回転体の室内に鈴を収容させた状態の断面図、図９は前記回転体の室内に鈴を収容させた状態の斜視図を示している。
【００１５】
（この回転式仏具構造体の概要について）
この発明の回転式仏具構造体は、図１〜図３に示すように、基台１上に配置された一対の軸受け２，２相互間に軸３を回転不能に掛け渡すと共に前記軸３に対して回転体４を回転自在に外挿してあり、前記回転体４の外周面には宗教上の教えを知らしめる文字Ｄを印刷又は刻設すると共に図４に示す如く前記回転体４に少なくとも４つの室４Ａを設けてあり、更に前記室４０には鈴Ｓを収容させてある。ここで、この実施例では、図１や図２に示すように基台１は、座台６上に設けた柱５の上端に設けてあり、また、室４０の開放部は図６や図９に示すように蓋体７で閉蓋されるものとしてある。
【００１６】
なお、一対の軸受け２，２と基台１、基台１と柱５、及び柱５と座台６とは、図４や図５に示すように、これら部材に設けられた凹部と凸部相互を嵌め込むことにより組立られており、前記嵌め込み部において接着剤等により一体化している。
【００１７】
（基台１の構成について）
基台１は、図１や図２に示すように蓮弁形状に形成されており、図５に示すように上面には軸受け２，２との結合用の凹部１０，１０を、下面には柱５との結合用の凸部１１を、それぞれ設けてある。なお、基台１は基本的には石材により構成されるものであり、例えば御影石等が使用できる。
【００１８】
（軸受け２，２の構成について）
軸受け２，２は、図２、図５や図６に示すように、外縁が逆Ｕ字形状である厚肉板により構成されており、その下端部を少し薄肉２０に形成することにより段付き２１を構成させてある。ここで、この軸受け２，２を基台１に設置する場合、薄肉２０部分を上記した凹部１０，１０に嵌め込むと共に、段付き２１を基台１の上面に当接させるようにすればよい。なお、軸受け２，２は基本的には石材により構成されるものであり、例えば御影石等が使用できる。
【００１９】
また、この軸受け２，２は、図５や図６に示すように、その上部外面側に浅い円孔２２が形成されており、前記円孔２２の中心位置に貫通孔２３が形成されている。
【００２０】
（軸３の構成について）
軸３は、図６に示すように、貫通孔２３内に遊挿される態様で軸受け２，２相互間に掛け渡されている。ここで、この実施例では、貫通孔２３に対して軸３を固定する方法としてこれら相互間に詰物８をする態様を採っており、軸受け２，２の円孔２２，２２をそれぞれ蓋体２４で閉じている。
【００２１】
なお、この軸３としては、断面円形状のステンレス管又は柱体により構成されるものが使用できる。
【００２２】
（回転体４の構成について）
回転体４は、図６に示すように、厚肉の円形板により構成されており、上記した軸３が遊挿される貫通孔４０と、前記貫通孔４０の外方に位置する４つの貫通孔４１とを具備するものとしている。ここで、回転体４における上記貫通孔４０の両サイド部分は拡径してあり、この拡径部分にはボールベアリング４２を嵌め込んであると共に押さえ板４３により当該ボールベアリング４２を抜け止め状態にしてある。
【００２３】
また、上記貫通孔４１の開放部は、後述する蓋体７で着脱可能に閉蓋されるものとしてあり、これにより鈴Ｓを収容するための室４Ａが形成されている。
【００２４】
さらに、この回転体４の外周面には、宗教上の教えを知らしめる文字Ｄ、例えば、聖典や経文等を形成（印刷又は刻設等）してある。
【００２５】
（柱５の構成について）
柱５は円柱状に形成されており、図４や図５に示すように、その上面には上記した凸部１１が嵌まり込む凹部５０が、下面には凸部５１が、それぞれ形成されている。
【００２６】
なお、柱５は基本的には石材により構成されるものであり、例えば御影石等が使用できる。
【００２７】
（台座６の構成について）
台座６は、図４や図５に示すように柱５よりも大径とすることにより接地面積を大きなものとしてある。また、この台座６には、図４や図５に示すように、その上面には凸部５１が嵌まり込む凹部６０が、下面にはボルト挿入孔６１が、それぞれ形成されている。ここで、前記ボルト挿入孔６１にはアンカーボルトが挿入され、台座６を地盤側に強固に取り付けられる。したがって、不用意に回転式仏具構造体が転倒するようなことはない。
【００２８】
（蓋体７の構成について）
蓋体７は、図７〜図９に示すように、上記した貫通孔４１よりも少し大きな薄板７０と、この薄板７０の片面外周部に取り付けられた３つのＵ字状のバネ部材７１とから構成されており、バネ部材７１の弾性復帰力によるバネ部材７１と貫通孔４１の構成壁との圧接力により不用意には外れない構成としてある。なお、上記薄板７０には図７〜図９に示すように、卍形状の開口７２を形成してあり、この開口７２の存在により鈴Ｓの心地よい音色がよく聞こえるようにしてある。
【００２９】
（鈴Ｓについて）
鈴Ｓは、市販されているものがそのまま使用でき、上記した室４Ａに収容される。この鈴Ｓの大きさや種類を選択することにより、様々な音色を出す様にすることができる。
【００３０】
（この回転式仏具構造体の使用状態について）
この回転式仏具構造体を使用すると、以下のような優れた作用・効果を奏する。
(1) 回転体４に手の指や平を当て、回転させると、宗教上の教えを身体の位置や姿勢を変えることなく全文見る（読み取る）ことができる。この点については、従来のものと同様である。しかしながら、この回転体４は軸３にボールベアリング４２を介して取り付けられているので、子供や高齢者でも極めて容易に回転させることができる。
(2) また、回転体４に手の指や平を当て、回転させると、室４Ａ内に収容された鈴Ｓが転がって心地よい音色が響きわたる。
(3) すなわち、回転体４を回転させるという一つの行為により、宗教上の教えを身体の位置や姿勢を変えることなく全文見る（読み取る）ことができるだけでなく、鈴Ｓの音色による心地よい音色を生じさせることができる。したがって、信仰心がそれほど厚くない者であっても面倒を感じることなく宗教心に触れることができる。
【００３１】
（他の実施形態）
「回転体４」                                                                      上記実施例では、軸３は固定され、軸３に対して回転体４が回転する構造を採っているが、これに限定されることなく、軸３自体が回転する構造を採ることができる。例えば、両方の蓋体の内面側にベアリングを設け、前記ベアリングにより軸３を支持させるようにすればよい。
【００３２】
「室４Ａ」
上記実施例では、回転体４に設けた貫通孔４１を両サイドから蓋体７で閉蓋する態様を採っているが、貫通孔４１ではなく回転体４の一方面から他方面に至らない孔を形成し、前記孔の開放部を閉蓋するようにしてもよい。
【００３３】
また、室４Ａは、上記実施例における貫通孔４１内にステンレス管を嵌入したものとすることができる。これにより鈴Ｓの音色は更に大きくなる。
【００３４】
更に、図１０に示す如く室４Ａを構成する壁面に多数の突起ｔを形成すれば、鈴Ｓは複雑な転がりとなり、音色が連続的に出るものとなる。
【００３５】
そして、室４Ａは４つに限られることなく１つ以上であればよい。
【００３６】
「回転式仏具構造体の基本的な部分の材質」
上記実施例では、石材としているが、木材，場合によっては樹脂やその他の部材も使用できる。
【００３７】
「鈴に変わるものについて」
上記実施例１では音の発生源を鈴としているが、これに限定されることなく、以下に示す「鳴物」又は「硬質体」を利用することができる。
【００３８】
鳴物は、単独で音を出すものであり、例えば、ベル（風鈴形状の鐘に類するもの）やフィンガーシンバル等が挙げられる。
【００３９】
硬質体としては、室４Ａの構成壁と衝突してはじめて音がでる（衝突音）ものであり、例えば、鉄玉、ガラス玉（ビー玉、おはじき玉等）、木玉（数珠等）、サイコロ、小さな音積木（硬質の木）等が挙げられる。この硬質体を用いて音を発生させる場合には、室４Ａの構成壁を、硬質樹脂パイプや鋼管で形成させると衝突時において大きな反響音を生じさせることができる。また、図１１に示すように、前記硬質樹脂パイプや鋼管の外周面に中心方向に延びる持上げ板を設け、この持上げ板によりガラス玉等を上方に持ち上げた後に落下させるようにすれば効果的に音を発生させることができる。また、対向する蓋体７，７相互間に鋼管を掛け渡す態様を採ると、ガラス玉等が前記鋼管に当たって効果的に音を発生させることができる。
【図面の簡単な説明】
【００４０】
【図１】この発明の実施例の回転式仏具構造体の正面図。
【図２】前記回転式仏具構造体の側面図。
【図３】前記回転式仏具構造体の平面図。
【図４】図１のＡ−Ａ断面図。
【図５】図３のＢ−Ｂ断面図。
【図６】前記回転式仏具構造体の主要部の断面図。
【図７】図６のＣ−Ｃ断面図。
【図８】前記回転体の室内に鈴を収容させた状態の断面図。
【図９】前記回転体の室内に鈴を収容させた状態の斜視図。
【図１０】前記室を構成する壁面の他の実施形態の斜視図。
【図１１】他の実施形態の室を示す正面図。
【符号の説明】
【００４１】
Ｄ        文字（聖典、経文）
Ｓ        鈴
１        基台
２        軸受け
３        軸
４        回転体
４Ａ      室
５        柱
６        台座
７        蓋体
【図１】
2006045791.tif 000003
【図２】
2006045791.tif 000004
【図３】
2006045791.tif 000005
【図４】
2006045791.tif 000006
【図５】
2006045791.tif 000007
【図６】
2006045791.tif 000008
【図７】
2006045791.tif 000009
【図８】
2006045791.tif 000010
【図９】
2006045791.tif 000011
【図１０】
2006045791.tif 000012
【図１１】
2006045791.tif 000013